(57)【要約】【課題】リモコン装置以外を操作してチャンネルを切り替えた場合でも、現在表示されているチャンネル番号を瞬時に確認することができるリモコン装置、および上記リモコン装置を使用したテレビジョン受信機、テレビジョンセットの提供を目的とする。【解決手段】テレビジョンセット４０は、受像機２０側がチャンネル情報を送信することで、リモコン装置１０にチャンネル番号を表示させる。そのため、受像機２０は少なくとも選局されたチャンネル番号情報を含むチャンネル情報を電波によりリモコン装置１０に送信する。リモコン装置１０は、チャンネル情報を受信すると、受信したチャンネル情報に基づいて受像機２０が表示しているチャンネル番号を表示部に表示させる。【選択図】図２
2008258747.tif 000002
【特許請求の範囲】
【請求項１】
チューナ部が検波したテレビジョン放送信号を表示する受像機と、
少なくとも前記受像機が表示するチャンネル選局を操作するリモコン装置とを有するテレビジョンセットにおいて、
前記受像機は、
電波を用いて少なくとも前記チューナ部が選局したチャンネル番号を含むチャンネル情報を前記リモコン装置に送信する送信部と、
当該受像機の動作を制御するマイクロプロセッサとを備え、
前記リモコン装置は、
少なくともチャンネル番号を表示可能な表示部と、
前記送信部から送信されたチャンネル情報を受信する受信部と、
前記チャンネル情報を所定間隔で前記受信部に受信させるとともに、前記受信部が受信したチャンネル情報に基づいてチャンネル番号を前記表示部に表示させるコントローラとを有し、
前記受像機のチャンネルが選局された際、前記マイクロプロセッサは、前記送信部に前記チャンネル情報を送信させ、
前記送信されたチャンネル情報を前記受信部が受信することで、前記コントローラが前記表示部にチャンネル番号を表示させることを特徴とするテレビジョンセット。
【請求項２】
受像機のチャンネル切替操作を受付けるとともに、少なくともチャンネル番号を表示部に表示させるリモコン装置を有するテレビジョン受信機において、
前記受像機は、
少なくとも放送中のチャンネル番号情報を含むチャンネル情報を前記リモコン装置に送信するチャンネル情報送信手段を有し、
前記リモコン装置は、
前記チャンネル情報送信手段から送信されたチャンネル情報を受信するチャンネル情報受信手段と、
前記受信したチャンネル情報に基づいて、前記受像機が選局したチャンネル番号を前記表示部に表示させるチャンネル番号表示手段とを有することを特徴とするテレビジョン受信機。
【請求項３】
前記チャンネル情報送信手段と、前記チャンネル情報受信手段とは電波を用いて前記チャンネル情報を送受信することを特徴とする請求項２に記載のテレビジョン受信機。
【請求項４】
前記チャンネル情報受信手段は、前記チャンネル情報を所定間隔で受信し、
受信に掛かる消費電力を軽減することを特徴とする請求項２または請求項３のいずれか一項に記載のテレビジョン受信機。
【請求項５】
更に、前記リモコン装置は、前記チャンネル情報受信手段が前記チャンネル情報を受信した際、返信信号を送信して受信状態を前記受像機に知らせる返信手段を有することを特徴とする請求項２から請求項４のいずれか一項に記載のテレビジョン受信機。
【請求項６】
受像機から送信された少なくともチャンネル番号情報を含むチャンネル情報に基づいて、少なくともチャンネル番号を表示部に表示させるテレビジョン受信機用リモコン装置において、
前記チャンネル情報を受信するチャンネル情報受信手段と、
受信した前記チャンネル情報に基づいて、チャンネル番号を前記表示部に表示させるチャンネル番号表示手段とを有することを特徴とするテレビジョン受信機用リモコン装置。
【発明の詳細な説明】
【技術分野】
【０００１】
リモコン装置を操作して受像機が表示するチャンネルを切り替えるリモコン装置に関し、特に、選局されたチャンネルを表示可能なテレビジョン受信機用リモコン装置、および前記テレビジョン受信機用リモコン装置を使用したテレビジョン受信機、テレビジョンセットに関するものである。
【背景技術】
【０００２】
従来、チャンネル番号をリモコン装置側で表示する技術として以下の技術が開示されている。つまり、リモコン装置に表示部を設け、リモコン装置を操作して選局すると、選局されたチャンネル番号が表示部に表示される（例えば、特許文献１参照。）。
【０００３】
同様な技術として、リモコンに液晶パネルを設けるとともに、液晶パネルにチャンネル番号とＥＰＧデータを表示させ、液晶パネルを見ながらテレビジョン受信機のチャンネルを切り替える技術が開示されている（例えば、特許文献２参照。）。
【０００４】
さらに、チャンネル番号ではないが、受像機から送信されたＥＰＧデータを表示できる表示部を備え、上記表示部を見ながらチャンネルの切り替えを行なうリモコン装置が開示されている（例えば、特許文献３参照）。
【特許文献１】特開２００１−３０９４６３号
【特許文献２】特開平１１−３１７８８５号
【特許文献３】特開２０００−２２４４３７号
【発明の開示】
【発明が解決しようとする課題】
【０００５】
上述した特許文献１，２の発明は次のような課題があった。受像機側の操作パネルでチャンネルを切り替えた場合、リモコン装置の表示部にはチャンネル番号の切替が反映されなかった。このような場合、リモコン装置側でチャンネル番号を確認することができなかった。
【０００６】
また、特許文献３の発明は、次のような課題がった。リモコン装置は、ＥＰＧ情報を受信するだけであり、現在表示しているチャンネル番号を表示するものではない。
【０００７】
本発明は、上記課題に鑑みてなされたもので、リモコン装置以外を操作してチャンネルを切り替えた場合でも、現在表示されているチャンネル番号を瞬時に確認することができるリモコン装置、および上記リモコン装置を使用したテレビジョン受信機、テレビジョンセットの提供を目的とする。
【課題を解決するための手段】
【０００８】
上記課題を解決するために、本発明の請求項２にかかる発明では、受像機のチャンネル切替操作を受付けるとともに、少なくともチャンネル番号を表示部に表示させるリモコン装置を有するテレビジョン受信機において、前記受像機は、少なくとも放送中のチャンネル番号情報を含むチャンネル情報を前記リモコン装置に送信するチャンネル情報送信手段を有し、前記リモコン装置は、前記チャンネル情報送信手段から送信されたチャンネル情報を受信するチャンネル情報受信手段と、前記受信したチャンネル情報に基づいて、前記受像機が選局したチャンネル番号を前記表示部に表示させるチャンネル番号表示手段とを有する構成としてある。
【０００９】
上記のように構成された発明では、受像機は、チャンネル情報送信手段からチャンネル情報を送信する。リモコン装置は、チャンネル情報をチャンネル受信手段で受信し、チャンネル番号表示手段でチャンネル番号を表示部に表示させる。これにより、チャンネル情報は、受像機から送信されるため、リモコン装置以外を操作してチャンネルを切り替えた場合でも、現在表示されたチャンネルをリモコン装置に表示させることができる。
【００１０】
また、前記チャンネル情報送信手段と、前記チャンネル情報受信手段とは電波を用いて前記チャンネル情報を送受信する構成としてもよい。
つまり、チャンネル情報送信手段は、指向性の低い電波を用いてチャンネル情報をチャンネル情報受信手段に送信するため、リモコン装置は、受像機に対してどのような位置にいてもチャンネル情報を受信することができる。
【００１１】
そして、前記チャンネル情報受信手段は、前記チャンネル情報を所定間隔で受信し、受信に掛かる消費電力を軽減する構成としてもよい。
つまり、リモコン装置は、受信のための駆動のオン／オフを所定間隔で繰り返すため、受信に掛かる消費電力を軽減させる。
【００１２】
更に、前記リモコン装置は、前記チャンネル情報受信手段が前記チャンネル情報を受信すると、返信信号を送信して受信状態を前記受像機に知らせる返信手段を有する構成としてもよい。
つまり、リモコン装置がチャンネル情報を受信すると、返信手段が返信信号を送信することで、受信状態を受像機に知らせる。これにより、受像機側はリモコン装置側のチャンネル情報の受信状態を判断することができる。
【００１３】
また、本発明は、受像機とリモコン装置とが一体となったテレビジョン受信機のみならず、リモコン装置だけにも応用することができる。そのため、本発明に係るリモコン装置は、受像機から送信された少なくともチャンネル番号情報を含むチャンネル情報に基づいて、少なくともチャンネル番号を表示部に表示させるテレビジョン受信機用リモコン装置において、前記チャンネル情報を受信するチャンネル情報受信手段と、受信した前記チャンネル情報に基づいて、チャンネル番号を前記表示部に表示させるチャンネル番号表示手段とを有する構成としてもよい。 
【００１４】
そして、上記課題を解決するための具体的な構成として、チューナ部が検波したテレビジョン放送信号を表示する受像機と、少なくとも前記受像機が表示するチャンネル選局を操作するリモコン装置とを有するテレビジョンセットにおいて、前記受像機は、電波を用いて少なくとも前記チューナ部が選局したチャンネル番号を含むチャンネル情報を前記リモコン装置に送信する送信部と、当該受像機の動作を制御するマイクロプロセッサとを備え、前記リモコン装置は、少なくともチャンネル番号を表示可能な表示部と、前記送信部から送信されたチャンネル情報を受信する受信部と、前記チャンネル情報を所定間隔で前記受信部に受信させるとともに、前記受信部が受信したチャンネル情報に基づいてチャンネル番号を前記表示部に表示させるコントローラとを有し、前記受像機のチャンネルが選局された際、前記マイクロプロセッサは、前記送信部に前記チャンネル情報を送信させ、前記送信されたチャンネル情報を前記受信部が受信することで、前記コントローラが前記表示部にチャンネル番号を表示させる構成としてある。
【発明の効果】
【００１５】
以上説明したように本発明によれば、リモコン装置以外を操作してチャンネルを切り替えた場合でも、現在表示されているチャンネル番号をリモコン装置で瞬時に確認することができるができる。
また請求項３にかかる発明によれば、リモコン装置が受像機に対してどのような位置にいてもチャンネル情報を受信することができる。
そして請求項４にかかる発明によれば、受信に掛かる消費電力を軽減させることができる。
さらに請求項５にかかる発明によれば、受像機側はリモコン装置側のチャンネル情報の受信状態を判断することができる。
さらに請求項１のような、より具体的な構成において、上述した請求項１〜請求項５の各発明と同様の作用を奏することはいうまでもない。
【発明を実施するための最良の形態】
【００１６】
以下、下記の順序に従って本発明の実施形態を説明する。
（１）テレビジョンセットの構成
（２）テレビジョンセットの作用・効果
（３）各種変形例
（４）まとめ
【００１７】
（１）テレビジョンセットの構成 
図１に示すように、本発明に係るテレビジョンセット４０は、チャンネルキーでチャンネル切替操作を受付けるとともに、少なくとも選局されたチャンネル番号を表示部に表示させるリモコン装置１０を有するものである。さらに、本テレビジョンセット４０は、受像機２０がチャンネル情報を送信することで、リモコン装置１０にチャンネル番号を表示させる。つまり、受像機２０は少なくとも選局されたチャンネル番号情報を含むチャンネル情報を電波によりリモコン装置１０に送信する。リモコン装置１０は、チャンネル情報を受信すると、受信したチャンネル情報に基づいて受像機２０が選局したチャンネル番号を表示部に表示させる。
【００１８】
図２は、テレビジョンセット４０のブロック構成図である。リモコン装置１０は、受像機２０を遠隔操作するとともに、表示部１４に少なくともチャンネル番号を表示する。そのため、リモコン装置１０は、受像機２０へ電波を送信する送信部１１と、受像機２０からの電波を受信する受信部１２（チャンネル情報受信手段）と、少なくともチャンネル番号を表示する表示部１４と、ユーザの操作を受付ける操作受付モジュール１５と、リモコン装置１０全体を制御するコントローラ１３（チャンネル番号表示手段、返信手段）とを備えている。
【００１９】
操作受付モジュール１５は、例えば複数の操作キーを備えており、押圧操作を受付けると操作信号をコントローラ１３に送信する。コントローラ１３は受信した操作信号を基に、送信部１１や受信部１２さらには表示部１４の駆動を制御する制御信号を送信する。送信部１１は、受信した制御信号を搬送波である電波に重畳させて受像機２０に送信する。受信部１２は受像機２０から送信された電波を受信し、受信した電波から制御信号を復調する。なお、受信部１２が復調した制御信号は、コントローラ１３に送信される。表示部１４は、例えば、液晶ディスプレイにより構成され、少なくともチャンネル番号を表示することができる。つまり、チャンネル番号以外の情報を表示するものであってもよい。
【００２０】
受像機２０は、リモコン装置１０から送信された制御信号を受付け、チャンネルの選局を行なう。受像機２０は、アンテナ３０が受信したテレビジョン放送信号を検波するチューナ部２１と、リモコン装置１０の送信部１１や受信部１２と、制御信号をやり取りする受像機側送信部２２（チャンネル情報送信手段）と受像機側受信部２３と、受像機２０全体を制御するマイクロプロセッサ２４と、取得した画像データを用いて画像を表示するディスプレイモジュール２５と、ディスプレイモジュール２５にＯＳＤ画像を表示させるＯＳＤ部２６と、チャンネル選局及び各種メニューの操作を行なう操作パネル２７とを備えている。
【００２１】
チューナ部２１は、マイクロプロセッサ２４からの制御信号に基づいてアンテナ３０が受信したテレビジョン放送信号を検波して、各チャンネルに対応した画像データや音声データ等を生成する。受像機側受信部２３は、リモコン装置１０から送信された制御信号を復調して、復調した制御信号をマイクロプロセッサ２４に送信する。受像機側送信部２２は、マイクロプロセッサ２４から送信された制御信号を搬送波である電波に重畳させてリモコン装置１０に送信する。受像機側送信部２２が送信する搬送波は、ＦＭトランスミッタ方式であってもよいし、Bluetoothであってもよい。マイクロプロセッサ２４は、演算中枢としてのＣＰＵ２４ａ、不揮発性記録媒体としてのＲＯＭ２４ｂ、さらには揮発性記録媒体としてのＲＡＭ２４ｃとを備えている。そのため、マイクロプロセッサ２４は、受像機側受信部２３が復調した制御信号、又は操作パネル２７の操作により送信された制御信号をＣＰＵ２４ａが受信すると、ＲＯＭ２４ｂに記録された制御プログラムに基づいて、受像機２０の駆動を制御する。ディスプレイモジュール２５は、チューナ部２１が検波した画像データ及び音声データを基に画像や音声を生成して送信する。ＯＳＤ部２６はＯＳＤ画像をディスプレイモジュール２５が生成した画像に重畳させて表示する。
【００２２】
本テレビジョンセット４０は、チャンネルの切り替えに応じてリモコン装置１０の表示部１４にチャンネル番号を表示する。操作パネル２７を操作してチャンネルを切り替えた場合は、まず、マイクロプロセッサ２４は、ＲＯＭ２４ｂに記録されたチャンネル番号表示プログラム１００を読み出す。次に、チャンネル番号表示プログラム１００に基づいて、ＣＰＵ２４ａは、少なくともチャンネル番号情報を含むチャンネル情報をリモコン装置１０送信するよう受像機側送信部２２に指示する。リモコン装置１０は、チャンネル情報を受信すると、受信したチャンネル情報に基づいてチャンネル番号を表示部１４に表示させる。また、リモコン装置１０の操作受付モジュール１５を操作してチャンネルを切り替えた場合は、コントローラ１３が表示部１４に選局されたチャンネル番号を表示するよう指示する構成としてもよい。
【００２３】
図３は、チャンネル番号表示プログラム１００に基づいてＣＰＵ２４ａが実行するフローチャートである。図４は、受像機から送信されたチャンネル情報に基づいてコントローラ１３が実行するフローチャートである。図３に示すように、操作パネル２７が操作され、又はリモコン装置１０が操作されチャンネル切り替え信号がマイクロプロセッサ２４に送信されると、ＣＰＵ２４ａはＲＯＭ２４ｂに記録されたチャンネル番号表示プログラム１００を読み出し、ＲＡＭ２４ｃ上で展開する。そして、ＣＰＵ２４ａは、受像機側送信部２２にチャンネル番号を含むチャンネル情報をリモコン装置１０に送信するよう指示する（ステップＳ１００）。このとき、送信されるチャンネル情報はチューナ部２１にチャンネルを選局させる制御信号であればよい。受像機側送信部２２は、ＣＰＵ２４ａからの指示を受けて、チャンネル情報を搬送波に重畳してリモコン装置１０に送信する。搬送波に重畳されたチャンネル情報がリモコン装置１０の受信部１２で受信されると、受信部１２はチャンネル情報を復調してコントローラ１３に送信する。コントローラ１３はチャンネル情報を受信すると（ステップＳ２００）、表示部１４にチャンネル番号の表示を指示する（ステップＳ２１０）。さらに、コントローラ１３はチャンネル情報を受信したことを示す返信信号を受像機２０に送信するよう送信部１１に指示する（ステップＳ２２０）。送信部１１は、コントローラ１３から送信された返信信号を搬送波に重畳して受像機２０に送信する。受像機２０は、返信信号を受信すると（ステップＳ１１０）、受像機側送信部２２にチャンネル情報の送信を停止するよう指示する（ステップＳ１２０）。
【００２４】
（２）テレビジョン受信機の作用・効果
以上説明したように、本テレビジョン受信機はリモコン装置１０を操作してチャンネルを選局した場合でも、又は操作パネル２７を操作してチャンネルを選局した場合でも、リモコン装置１０の表示部１４にチャンネル番号を表示させることができる。つまり、リモコン装置１０、及び操作パネル２７を操作してチャンネルを切り替えると、マイクロプロセッサ２４はチャンネル情報をリモコン装置１０に送信することで、表示部１４にチャンネル番号を表示させる。そのため、リモコン装置１０以外を操作してチャンネルを切り替えた場合でも、表示部１４にはチャンネル番号が表示されるため、表示部を見ることで現在表示されたチャンネルを瞬時に確認することができる。また、リモコン装置１０と受像機２０とのチャンネル情報の受け渡しは電波を用いて行なわれるため、リモコン装置１０と受像機２０との位置関係に囚われることなくチャンネル情報を受け渡すことができる。  
【００２５】
（３）各種変形例
本発明に係る、テレビジョン受信機は様々な変形例が存在する。
コントローラ１３は、受信部１２にチャンネル情報を所定間隔で受信させることで、受信に掛かる消費電力を軽減する構成としてもよい。リモコン装置１０は受像機２０側からチャンネル情報がいつ送信されるか判別することができないため、リモコン装置１０は、チャンネル情報を受信部１２が受信するまで駆動している必要がある。つまり、コントローラ１３は図４に示すようにチャンネル情報が受信されるまで駆動を続ける必要がある。そのため、受信のための駆動のオン／オフを所定間隔で切り替えることで、駆動時間が短くなり消費電力を軽減することができる。
【００２６】
図５は、リモコン装置１０と受像機２０との駆動タイミングを示すタイミングチャートである。図に示すように、リモコン装置１０は、所定間隔でチャンネル情報を受信する。ここで、受信部１２は、チャートの立ち上がりから立下りの間でチャンネル情報を受信するものとする。まず、リモコン装置１０は、時間Ｔ１での駆動では受像機２０からチャンネル情報が送信されておらず、駆動を停止する。次に、時間Ｔ２で受像機２０がチャンネル情報を送信すると、リモコン装置１０は時間Ｔ３での駆動でチャンネル情報を受信する。このとき、リモコン装置１０は、表示部１４にチャンネル番号を表示させるための駆動を開始する。その後、リモコン装置１０は時間Ｔ４で返信信号を受像機２０に送信し、駆動を停止する。このとき、受像機２０は返信信号を受信すると、チャンネル情報の送信を停止する。これにより、リモコン装置１０は、駆動時間を所定期間とすることで消費電力を低減させることができる。
【００２７】
また、図６に示すように、受像機２０は返信信号を受信すると、画面上にＯＳＤ映像を表示させる構成としてもよい。これにより、ユーザはＯＳＤ映像が表示されているのを確認することで、リモコン装置１０の表示部１４にチャンネル番号が表示されていないことを判断することができる。
【００２８】
（４）まとめ
本テレビジョンセット４０は、受像機２０側がチャンネル情報を送信することで、リモコン装置１０にチャンネル番号を表示させる。そのため、受像機２０が、少なくとも放送中のチャンネル番号情報を含むチャンネル情報を電波によりリモコン装置１０に送信する。リモコン装置１０は、チャンネル情報を受信すると、受信したチャンネル情報に基づいて受像機２０が表示しているチャンネル番号を表示部に表示させる。
【００２９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３０】
【図１】テレビジョンセットの正面図である。
【図２】テレビジョンセットのブロック構成図である。
【図３】一例としてのＣＰＵが実行するフローチャートである。
【図４】一例としてのコントローラが実行するフローチャートである。
【図５】一例としてのテレビジョンセットの駆動タイミングを示すタイミングチャートである。
【図６】一例としての画面に表示されるＯＳＤ画像である。
【符号の説明】
【００３１】
１０…リモコン装置、１１…送信部、１２…受信部、１３…コントローラ、１４…表示部、１５…操作受付モジュール、２０…受像機、２１…チューナ部、２２…受像機側送信部、２３…受像機側受信部、２４…制御部、２４ａ…ＣＰＵ、２４ｂ…ＲＯＭ、２４ｃ…ＲＡＭ、２５…ディスプレイモジュール、２６…ＯＳＤ部、２７…操作パネル、３０…アンテナ、４０…テレビジョンセット、１００…チャンネル番号表示プログラム
【図１】
2008258747.tif 000003
【図２】
2008258747.tif 000004
【図３】
2008258747.tif 000005
【図４】
2008258747.tif 000006
【図５】
2008258747.tif 000007
【図６】
2008258747.tif 000008